(57)【要約】【目的】  クリーンベンチ、グローブボックス、ドラフト等で使用するロンググローブの操作性と経済性を向上させる。【構成】  ロンググローブが、付根部分と、先端部分と、これら二つの部分を着脱自在に気密に接続する接合部材からなるロンググローブ。【選択図】図２
2005028348.tif 000002
【特許請求の範囲】
【請求項１】
外気と遮断した雰囲気内に挿入して、該雰囲気内での手による操作を可能とするロンググローブにおいて、該ロンググローブが、付根部分と、先端部分と、これら二つの部分を着脱自在に気密に接続する接合部材からなることを特徴とするロンググローブ。
【請求項２】
請求項１において、前記付根部分は機械的強度が高く可撓性が低く、前記先端部分は前記付根部分に比べて機械的強度が低く可撓性が高いロンググローブ。
【請求項３】
請求項１または請求項２において、前記接合部材は、前記付根部分と前記先端部分との重ね合わせ部分を内側から支える内側円環と、該内側円環を前記重ね合わせ部分を介して外側から着脱自在に締めつける外側円環とからなるロンググローブ。
【請求項４】
請求項３において、前記内側円環と前記外側円環の少なくとも一方には、その重ね合わせ部分に、相手側と嵌合する環状の溝を有するロンググローブ。
【請求項５】
請求項１または請求項２において、前記付根部分と前記先端部分の接合部がフランジ状であって、前記接合部材は、双方のフランジ状部分を気密に締めつける２個以上の円環であるロンググローブ。
【請求項６】
請求項５において該円環の対向する面の少なくとも一方には相手側と嵌合する環状の溝を有するロンググローブ。
【発明の詳細な説明】
【発明の詳細な説明】
【産業上の利用分野】
【０００１】本発明は、操作性および経済性を著しく向上したロンググローブに関し、特にグローブボックス、クリーンベンチ、ドラフト等の外気を遮断した雰囲気内での作業で使用するロンググローブに関する。
【背景技術】
【０００２】従来、グローブボックスやクリーンベンチ用のロンググローブはゴム等の可撓性の材料で作った図１に示すような一体成形された大型のロンググローブの付根部分をグローブボックス等の壁面に気密に装着して使用してきた。
【考案が解決しようとする課題】
【０００３】しかしながら、そのロンググローブはグローブボックス内外の気圧差に耐えるように比較的丈夫に作られており、数ミリメートルの細かい部品を取り扱う場合には、操作が困難である欠点があった。また、そのロンググローブは通常腕まで入る大きな成形品であるために高価であり、指先に小さなピンホールが開いた場合でも交換が必要となるので、経済的な負担が大きかった。
【課題を解決するための手段】
【０００４】本発明は、上記課題を解決するためになされたものであり、外気と遮断した雰囲気内に挿入して、該雰囲気内での手による操作を可能とするロンググローブにおいて、該ロンググローブが、付根部分と、先端部分と、これら二つの部分を着脱自在に気密に接続する接合部材からなるロンググローブ、更に、前記付根部分は、機械的強度が高く可撓性が低く、前記先端部分は、前記付根部分に比べて機械的強度が低く可撓性が高いロンググローブである。また、前記接合部材は、前記付根部分と前記先端部分との重ね合わせ部分を内側から支える内側円環と、該内側円環を前記重ね合わせ部分を介して外側から着脱自在に締めつける外側円環とからなるロンググローブであり、好ましくは前記内側円環と前記外側円環の少なくとも一方には、その重ね合わせ部分に、相手側と嵌合する環状の溝を有するロンググローブである。更に、前記付根部分と前記先端部分の接合部がフランジ状であって、前記接合部材は、双方のフランジ状部分を気密に締めつける２個以上の円環であるロンググローブであり、好ましくは該円環の対向する面の少なくとも一方には相手側と嵌合する環状の溝を有するロンググローブである。
【作用】
【０００５】本発明では、高い機械的強度が要求される付根部分と、繊細な操作が要求される先端部分とを分離して製造することにより、夫々の部分に最適な材料と物性を自由に選ぶことが可能となり、更に、先端部分が破損した場合、その交換は先端部分に限定されるので、経済的負担も少なくて済む。また、特別な耐薬品性が必要な作業の場合、通常、特別な耐薬品性が必要な部分は、それらの薬品に触れる可能性の高い先端部分のみであるので、先端部分のみを特別な耐薬品性のものに交換すればよく、経済的負担が少ない。
【０００６】本発明において、付根部分と先端部分を分離して製造した後、これらを接合して使用することにより、大きな利点が得られる例として、グローブボックス中で、水分を含まないガス雰囲気下で、ピンセットを使い、直径５ミリメートル、厚さ１ミリメートルの有機電解質電池を組み立てる作業がある。この作業において、ピンセットでつまみあげるセパレーター部品は直径４．６ミリメートル、厚さ５０マイクロメートル程度の破れ易いシートである。このような繊細な指先の作業は、従来一般的にグローブボックスで使用されてきた厚さ０．４〜０．８ミリメートルもあるネオプレン製のロンググローブでは困難である。一方、本発明のロンググローブによれば、指先部分の厚みと材質は自由に選択することが可能であり、繊細な指先の作業を容易に行なうことができる。
【０００７】本発明で付根部分と先端部分を気密に接合する手段としては、例えば付根部分と先端部分の一端を重ね合わせて、その重ね合わせた部分を内側と外側から押さえつける方法を採用することができる。以下にその一例である図２について説明する。図２において、付根部分２は先端部分３とその一部が全周にわたって重ね合わせられており、その重ね合わせ部分の内側には金属またはプラスチック等で作られた内側円環４が装着されている。重ね合わせ部分の外側には弾性を有する外側円環５が嵌め合わせてあり、付根部分２と先端部分３を気密に接合している。外側円環５は例えばゴムやコイルバネ等を用いることができる。
【０００８】また、図３に示すように、内側円環４または外側円環５には気密性をより高める目的で、単数または複数の環状の溝６およびこれに嵌合する環状の突起７を設けることもできる。更に外側円環５は必ずしも弾性体である必要は無く、内側円環４の外側に配置した後、留め金、ねじ等により、その内周の長さを調節して、内側円環４に重ね合わせる部分を締めつける機能を有するものであれば良い。
【０００９】本発明のロンググローブで用いる付根部分と先端部分の重ね合わせ部分は、重ね合わせた際にいずれか一方にしわを生ずることが無いように、夫々の太さを調節してあることが望ましく、また、実際の重ね合わせに際しては、重ね合わせ部分にしわができるのを避けるため、内側円環４の外周の長さを、グローブの付根部分２および先端部分３が重なり合う部分の内周の長さよりも長くし、内側円環により、重ね合わせ部分を円周方向に引き伸ばした状態として用い、双方の重ね合わせ部分の寸法のずれを打ち消すのが好ましい。
【００１０】更に、本発明においては、図４に示すように、付根部分２と先端部分３にフランジ状の接合部７、８を設け、図５に示すように、この接合部７、８を円環１０、１１で挟んでクリップ１２等で締めつけることにより、気密性を確保することもできる。その際、図６に示すように、円環１１に環状の溝１３を、円環１０にはこの溝に嵌合する環状の突起を設けた構造とすると、気密性の確保がより容易になる。また、円環１０、１１による接合部７、８の締め付けを円周上の全てにわたり確保するために、接合部７、８と円環１０、１１の間にＯ−リングを挿入しても良い。また、円環１０、１１に磁性を帯びさせることにより、単に重ね合わせるだけで、両者が強く引き合うようにすることも可能である。
【発明の効果】
【００１１】以上の説明より明らかなように、本発明は、クリーンベンチ、グローブボックス、ドラフト等で外気と遮断した雰囲気内に挿入して、該雰囲気内での手による操作を可能とするロンググローブにおいて、操作性を著しく向上させるものであり、且つ、先端部分のみの交換により長期間の使用を可能とするものであり、経済性および省資源の見地からも極めて有効である。
【図面の簡単な説明】
【図１】従来のロンググローブの外観図
【図２】本発明のロンググローブの組立品の断面図
【図３】本発明の接合部材の断面の斜視図
【図４】本発明の別のロンググローブの付根部分と先端部分の断面図
【図５】本発明の別のロンググローブの組立品の断面図
【図６】本発明の別の接合部材の斜視図
【符号の説明】
１：ロンググローブ
２：付根部分
３：先端部分
４：内側円環
５：外側円環
６：環状の溝
７：環状の突起
８、９：フランジ状の接合部
１０、１１：円環
１２：クリップ
１３：環状の溝
【図１】
2005028348.tif 000003
【図２】
2005028348.tif 000004
【図３】
2005028348.tif 000005
【図４】
2005028348.tif 000006
【図５】
2005028348.tif 000007
【図６】
2005028348.tif 000008